(57)【要約】【課題】毛髪を所望のカール形状に、容易にセットすること。【解決手段】第１の毛髪挟持面３と第２の毛髪挟持面３ａの施術方向側には、毛髪を挟持可能に対向配置され、前記第１の毛髪挟持面３と第２の毛髪挟持面３ａの施術方向側に位置する毛髪１３に付与する張力を発生させる一対のローラ８、８ａを有し、前記一対のローラ８、８ａにおいて発生される張力の強さを制御する制御部５を備え、前記制御部５は、前記一対のローラ８、８ａから発生させる張力を互いに異ならせるように制御することで、毛髪１３に対して張力差を付与するようにした。【選択図】図１
2014117365.tif 000002
【特許請求の範囲】
【請求項１】
第１の毛髪挟持面を有する第１の挟持部と、第２の毛髪挟持面を有する第２の挟持部と、を有し、前記第１の毛髪挟持面と第２の毛髪挟持面とで毛髪を挟持するように構成され、前記第１の毛髪挟持面または第２の毛髪挟持面のうち少なくとも一方には、前記挟持された毛髪を加熱する加熱部を備えたヘアアイロンにおいて、前記第１の毛髪挟持面と第２の毛髪挟持面の施術方向側には、毛髪を挟持可能に対向配置され、前記第１の毛髪挟持面と第２の毛髪挟持面の施術方向側に位置する毛髪に付与する張力を発生させる一対の張力発生部を、有し、前記一対の張力発生部において発生される張力の強さを制御する制御部を、備え、前記制御部は、前記一対の張力発生部から発生させる張力を互いに異ならせるように制御する、ことを特徴とするヘアアイロン。
【請求項２】
前記第１の毛髪挟持面と第２の毛髪挟持面とに挟持された毛髪に対して前記施術方向側に移動する、少なくとも前記第１の毛髪挟持面または第２の毛髪挟持面のうちいずれか一方の移動速度を検知する速度検知部を、備え、前記制御部は、前記速度検知部により検知された移動速度に応じて、前記一対の張力発生部から発生される張力の強さを制御する、ことを特徴とする請求項１記載のヘアアイロン。
【請求項３】
前記第１の毛髪挟持面と第２の毛髪挟持面とに挟持された毛髪に対して印加される圧力を検出する圧力検知部を、備え、前記制御部は、前記圧力検知部により検知された圧力に応じて、前記一対の張力発生部から発生される張力の強さを制御する、ことを特徴とする請求項１または２記載のヘアアイロン。
【請求項４】
前記制御部は、前記速度検知部により検知された移動速度、および前記圧力検知部により検知された圧力に応じて、前記一対の張力発生部から発生される張力と前記加熱部の温度とをそれぞれ制御する、ことを特徴とする請求項３記載のヘアアイロン。
【発明の詳細な説明】
【技術分野】
【０００１】
本発明は、毛髪をストレートやカール等の形状にセットを行う、ヘアアイロンに関するものである。
【背景技術】
【０００２】
従来、この種のヘアアイロンは、円筒状に形成され、回転可能なローラの外周面に第１の毛髪挟持面を有する第１の挟持部と、前記第１の毛髪挟持面に接離自在に構成され、前記第１の毛髪挟持面の外周面に対応する断面が弧状に形成された板部材からなる、第２の毛髪挟持面を有する第２の挟持部とを有している。
【０００３】
上記第１の挟持部は、モータにより所定の方向に回転可能であり、上記第１の毛髪挟持面と第２の毛髪挟持面との間に毛髪が挟持された際に、毛髪の上記１の毛髪挟持面と対向する側に、回転による張力を付与することで、毛髪をカール形状にセットすることができる。
【０００４】
また、上記第２の挟持部の両端に、自由回転もしくは上記第１の挟持部と逆方向かつ等しい周速で回転する一対の小型ローラを備えて、安定して毛髪を送りながら、毛髪のセットを行うことができるようにしている（例えば、特許文献１参照）。
【先行技術文献】
【特許文献】
【０００５】
【特許文献１】特開昭６２−１６４４０６号公報
【発明の概要】
【発明が解決しようとする課題】
【０００６】
しかしながら、前記従来の構成では、毛髪に張力を付与するのは、回転可能なローラから構成された第１の挟持部のみであることから、最初に使用者がヘアアイロンを把持した状態では、所定の向き（例えば内向き）のカール形状にのみ毛髪をセットすることが可能であり、使用者の所望する向きに毛髪をセットすることが困難であった。
【０００７】
このため、上記とは逆向き（例えば外向き）のカール形成に毛髪をセットしたい場合は、ヘアアイロンを一旦周方向に回転させて持ち替えた後、再度毛髪を挟持し直す必要があるという課題を有していた。
【０００８】
本発明は、前記従来の課題を解決するもので、使用者がヘアアイロンの持ち替え動作をすることなく、簡易に毛髪を所望の形状にセット可能な、ヘアアイロンを提供することを目的とする。
【課題を解決するための手段】
【０００９】
前記従来の課題を解決するために、本発明のヘアアイロンは、第１の毛髪挟持面を有する第１の挟持部と、第２の毛髪挟持面を有する第２の挟持部と、を有し、前記第１の毛髪挟持面と第２の毛髪挟持面とで毛髪を挟持するように構成され、前記第１の毛髪挟持面または第２の毛髪挟持面のうち少なくとも一方には、前記挟持された毛髪を加熱する加熱部を備えている。
【００１０】
そして、前記第１の毛髪挟持面と第２の毛髪挟持面の施術方向側には、毛髪を挟持可能に対向配置され、前記第１の毛髪挟持面と第２の毛髪挟持面の施術方向側に位置する毛髪
に付与する張力を発生させる一対の張力発生部を有している。
【００１１】
さらに、前記一対の張力発生部において発生される張力の強さを制御する制御部を備えており、前記制御部は、前記一対の張力発生部から発生させる張力を互いに異ならせるように制御するようにしたものである。
【００１２】
これによって、一対の張力発生部から発生される張力を互いに異ならせることで、上記一対の張力発生部に挟持された毛髪において、張力の強い方の張力発生部と対向する側の毛髪が、カール形状の外側となり、張力の弱い方の張力発生部と対向する側の毛髪が、カール形状の内側となるように毛髪をセットすることができる。
【００１３】
また、上記張力の差を大きくした場合は、より径の小さいカール形状にセットすることができ、逆に上記張力の差を小さくした場合は、より径の大きいカール形状にセットすることができる。
【発明の効果】
【００１４】
本発明のヘアアイロンは、使用者がヘアアイロンの持ち替え動作をすることなく、簡易に毛髪を所望の形状にセットすることができる。
【図面の簡単な説明】
【００１５】
【図１】本発明の実施形態１におけるヘアアイロンの外観を示す概略斜視図
【図２】（ａ）同ヘアアイロンの概略正面図（ｂ）同ヘアアイロンのＡ−Ａ概略端面図
【図３】同ヘアアイロンの内部構成を示す略概図
【図４】同ヘアアイロンの毛髪挟持面の移動速度とローラの回転速度差との関係を示す特性図
【図５】同ヘアアイロンの毛髪に印加される圧力とローラの回転速度差との関係を示す特性図
【図６】（ａ）同ヘアアイロンの変形例の内部構造を示す略概図（ｂ）同ヘアアイロン変形例のＢ−Ｂ概略端面図
【発明を実施するための形態】
【００１６】
第１の発明は、第１の毛髪挟持面を有する第１の挟持部と、第２の毛髪挟持面を有する第２の挟持部と、を有し、前記第１の毛髪挟持面と第２の毛髪挟持面とで毛髪を挟持するように構成され、前記第１の毛髪挟持面または第２の毛髪挟持面のうち少なくとも一方には、前記挟持された毛髪を加熱する加熱部を備えている。
【００１７】
そして、前記第１の毛髪挟持面と第２の毛髪挟持面の施術方向側には、毛髪を挟持可能に対向配置され、前記第１の毛髪挟持面と第２の毛髪挟持面の施術方向側に位置する毛髪に付与する張力を発生させる一対の張力発生部を有している。
【００１８】
さらに、前記一対の張力発生部において発生される張力の強さを制御する制御部を備えており、前記制御部は、前記一対の張力発生部から発生させる張力を互いに異ならせるように制御するようにしている。
【００１９】
これにより、一対の張力発生部から発生される張力を互いに異ならせることで、上記一対の張力発生部に挟持された毛髪において、張力の強い方の張力発生部と対向する側の毛髪が、カール形状の外側となり、張力の弱い方の張力発生部と対向する側の毛髪が、カール形状の内側となるように毛髪をセットすることができる。
【００２０】
また、上記張力の差を大きくした場合は、より径の小さいカール形状にセットすることができ、逆に上記張力の差を小さくした場合は、より径の大きいカール形状にセットすることができる。
【００２１】
よって、使用者がヘアアイロンの持ち替え動作をすることなく、簡易に毛髪を所望の形状にセットすることができる。
【００２２】
第２の発明は、前記第１の毛髪挟持面と第２の毛髪挟持面とに挟持された毛髪に対して前記施術方向側に移動する、少なくとも前記第１の毛髪挟持面または第２の毛髪挟持面のうちいずれか一方の移動速度を検知する速度検知部を備えている。
【００２３】
そして、特に、第１の発明の制御部は、前記速度検知部により検知された移動速度に応じて、前記一対の張力発生部から発生される張力の強さを制御するようにしている。
【００２４】
これにより、前記第１の毛髪挟持面と第２の毛髪挟持面とに挟持された毛髪に対する、前記第１の毛髪挟持面または第２の毛髪挟持面の移動速度、即ち使用者の施術速度に応じて、上記一対の張力発生部から発生される張力の差を、常時適切に制御することが可能となる。
【００２５】
よって、使用者の施術速度によらず、常時使用者の所望のカール形状に毛髪をセットすることができる。
【００２６】
第３の発明は、前記第１の毛髪挟持面と第２の毛髪挟持面とに挟持された毛髪に対して印加される圧力を検出する圧力検知部を備えている。
【００２７】
そして、特に、第１または第２の発明の制御部は、前記圧力検知部により検知された圧力に応じて、前記一対の張力発生部から発生される張力の強さを制御するようにしている。
【００２８】
これにより、前記第１の毛髪挟持面と第２の毛髪挟持面とに挟持された毛髪に対して印加される圧力、即ち使用者がヘアアイロンを把持して、前記第１の毛髪挟持面と第２の毛髪挟持面との間に毛髪を挟持する力に応じて、上記一対の張力発生部から発生される張力の差を、常時適切に制御することが可能となる。
【００２９】
よって、使用者がヘアアイロンを把持する力によらず、常時使用者の所望のカール形状に毛髪をセットすることができる。
【００３０】
さらに、上記速度検知部と圧力検知部の両方を備えた場合は、上記一対の張力発生部から発生される張力の差を、より適切に制御することが可能となり、より確実に使用者の所望のカール形状に毛髪をセットすることが可能となる。
【００３１】
第４の発明は、特に、第３の発明の制御部は、前記速度検知部により検知された移動速度、および前記圧力検知部により検知された圧力に応じて、前記一対の張力発生部から発生される張力と前記加熱部の温度とをそれぞれ制御するようにしている。
【００３２】
これにより、使用者の施術速度やヘアアイロンを把持する力に応じて、上記一対の張力発生部から発生される張力の差に加えて、加熱部の温度も適切に制御することができる。
【００３３】
よって、使用者の施術速度やヘアアイロンを把持する力によらず、さらに確実に、使用者の所望のカール形状に毛髪をセットすることができる。
【００３４】
以下、本発明の実施の形態について、図面を参照しながら説明する。なお、この実施の形態によって本発明が限定されるものではない。
【００３５】
（実施の形態１）
図１は、本発明の実施形態１におけるヘアアイロンの外観を示す概略斜視図を、図２（ａ）は、同ヘアアイロンの概略正面図を、図２（ｂ）は、同ヘアアイロンのＡ−Ａ概略端面図を、そして図３は、同ヘアアイロンの内部構成を示す略概を示すものである。
【００３６】
図１〜３において、ヘアアイロン１のハウジング２は、その長手方向の一端同士が、ヒンジによって開閉可能に連結された、第１の挟持部２ａと第２の挟持部２ｂとを備えている。
【００３７】
第１の挟持部２ａと第２の挟持部２ｂとが対向する側には、それぞれ平板状に形成された、第１の毛髪挟持面３と第２の毛髪挟持面３ａとが設けられており、第１の挟持部２ａと第２の挟持部２ｂとが閉じられた際に、第１の毛髪挟持面３と第２の毛髪挟持面３ａとの間に、使用者の毛髪１３が挟持されるように構成されている。
【００３８】
第１の挟持部２ａおよび第２の挟持部２ｂ内には、それぞれ第１の毛髪挟持面３と第２の毛髪挟持面３ａとを加熱する、加熱部としてのヒータ４とヒータ４ａとが設けられており、ヒータ４、４ａにより加熱された第１の毛髪挟持面３と第２の毛髪挟持面３ａとの間に挟持された毛髪１３が加熱されるように構成されている。
【００３９】
上記ヒータ４、４ａは、ハウジング２内に収容された制御部５に電気的に接続されており、電源コード６より制御部５に供給された電力を、制御部５がヒータ４、４ａに供給するように構成されている。
【００４０】
そして、第１の毛髪挟持面３および第２の毛髪挟持面３ａの長手方向の側部であって、第１の毛髪挟持面３と第２の毛髪挟持面３ａとの間に毛髪１３が挟持された状態で、ヘアアイロン１が移動する側、即ち施術方向側（図２（ａ）における右側）には、それぞれ第１の毛髪挟持面３と第２の毛髪挟持面３ａとの施術方向側に位置する毛髪１３に、張力を付与する張力発生部としての一対のローラ８とローラ８ａとが、対向して配置されている。
【００４１】
上記ローラ８、８ａの回転軸（図示せず）には、それぞれ駆動源としてのモータ９およびモータ９ａが接続されており、モータ９、９ａの回転にともない、ローラ８、８ａがそれぞれ回転するように構成されている。
【００４２】
モータ９、９ａは、制御部５に電気的に接続されており、電源コード６より制御部５に供給された電力を、制御部５がモータ９、９ａに供給するように構成されている。
【００４３】
また、ハウジング２には、使用者が操作するためのスイッチ１０が設けられており、使用者がスイッチ１０を操作することにより、制御部５がヒータ４、４ａ、またはモータ９、９ａを制御するようにしている。
【００４４】
上記ローラ８、８ａの少なくとも外表面は、シリコン等の樹脂から構成され、毛髪を挟んだ際に、適度な摩擦力を有するものが望ましく、さらに望ましくは、対シリコンの動摩擦係数が０．２〜１程度に設定されている。
【００４５】
また第１の毛髪挟持面３の近傍には、第１の毛髪挟持面３と第２の毛髪挟持面３ａとに
挟持された毛髪１３に対する、第１の毛髪挟持面３の施術方向側への移動速度を検知する速度検知部１１を備えている。
【００４６】
速度検知部１１としては、熱式速度計やジャイロセンサ等を用いることが望ましい。また、速度検知部１１は、制御部５と電気的に接続されており、検知した移動速度を制御部５に送信するように構成されている。
【００４７】
さらに、第１の毛髪挟持面３の近傍には、第１の毛髪挟持面３と第２の毛髪挟持面３ａとに挟持された毛髪１３に対して印加される、圧力を検出する圧力検知部１２を備えている。
【００４８】
圧力検知手段としては、ひずみゲージや圧電センサ等を用いることが望ましい。また、圧力検知部１２は、制御部５と電気的に接続されており、検知した圧力を制御部５に送信するように構成されている。
【００４９】
以上のように構成されたヘアアイロンについて、以下その動作、作用を説明する。
【００５０】
まず、使用者がヘアアイロン１を把持してスイッチ１０を操作（オン）にすると、商用電源等から電源コード６を介して、制御部５に電力が供給される。
【００５１】
電力が供給された制御部５は、ヒータ４、４ａに電力を供給し、ヒータ４、４ａが加熱される。
【００５２】
ヒータ４および４ａから発生した熱は第１の毛髪挟持面３および第２の毛髪挟持面３ａへと伝導し、第１の毛髪挟持面３および第２の毛髪挟持面３ａが加熱される。
【００５３】
同時に制御部５は、モータ９および９ａに電力を供給して駆動させ、モータ９および９ａに接続されたローラ８、９ａが互いに逆向きの方向（図２（ｂ）における矢印の向き）に回転する。
【００５４】
使用者が第１の挟持部２ａと第２の挟持部２ｂとを閉じて、第１の毛髪挟持面３と第２の毛髪挟持面３ａとでセットする毛髪１３を挟持すると、加熱された第１の毛髪挟持面３および第２の毛髪挟持面３ａより毛髪１３へ熱が付与される。
【００５５】
同時に、ローラ８とローラ８ａとの間に毛髪１３が挟まれた状態となり、ローラ８、８ａの回転により、第１の毛髪挟持面３および第２の毛髪挟持面３ａと、ローラ８、８ａとの間に位置する毛髪１３に対して、施術方向側（施術に伴いヘアアイロン１が移動する側）に張力が付与される。
【００５６】
このとき制御部５が、ローラ８とローラ８ａのそれぞれの回転速度を、互いに異なるように制御することで、ローラ８とローラ８ａからそれぞれ毛髪１３に付与される張力を、互いに異なるようにする、すなわち張力差を付与することができる。
【００５７】
例えば、ローラ８の回転速度をローラ８ａの回転速度より大きくした場合は、毛髪１３において、ローラ８と対向する側に付与される張力が、ローラ８ａと対向する側に付与される張力よりも大きくなる。
【００５８】
よって、毛髪１３のローラ８と対向する側がカール形状の外側となり、ローラ８ａと対向する側がカール形状の内側となるように、毛髪１３がくせ付けされてセットされる。
【００５９】
また、毛髪１３に付与される張力の差が大きいほど、セット後の毛髪１３は、強いカール形状（曲率の大きなカール形状）に形成されるため、制御部５が、ローラ８とローラ８ａのそれぞれの回転速度を制御することで、毛髪１３を使用者が所望するカールの強さにセットすることができる。
【００６０】
本実施の形態では、ローラ８および８ａの直径をそれぞれ１ｃｍとし、制御部５は、ローラ８および８ａの回転速度を、５ｒｐｍ〜３０ｒｐｍの範囲で制御するようにしている。上記回転速度は、図示しない切替ボタンの操作により、切り替わるようにしてもよい。
【００６１】
また、ローラ８、８ａの材料や表面処理の状態、すなわち摩擦力によって、ローラ８、８ａの直径や回転速度を設定するようにしてもよい。
【００６２】
次に使用者が、ヘアアイロン１を施術方向に移動させると、第１の毛髪挟持面３および第２の毛髪挟持面３ａによって挟持された毛髪１３に対して、第１の毛髪挟持面３および第２の毛髪挟持面３ａが相対的に移動する。
【００６３】
このとき、使用者によって、ヘアアイロン１の移動速度は１．５ｃｍ／ｓｅｃ〜８．０ｃｍ／ｓｅｃ程度の範囲で異なることが考えられるため、速度検知部１１によって検知された第１の毛髪挟持面３の移動速度、すなわちヘアアイロン１の移動速度に応じて、制御部５がローラ８とローラ８ａとの回転速度差を制御している。
【００６４】
具体的には図３に示すように、速度検知部１１により検知された第１の毛髪挟持面３の移動速度が、所定の範囲内（本実施の形態では１．５ｃｍ／ｓｅｃ〜８．０ｃｍ／ｓｅｃ）において大きくなるに従い、制御部５は、ローラ８とローラ８ａとの回転速度差を増加させるように制御している。
【００６５】
上記制御により、ヘアアイロン１の移動速度（施術速度）に影響されることなく、使用者が所望するカール形状に、容易に毛髪１３をセットすることができる。
【００６６】
また、使用者によって、第１の毛髪挟持面３と第２の毛髪挟持面３ａとの間に毛髪１３を挟持した際に、毛髪１３に印加される圧力が、２０ｇｆ／平方ｃｍ〜１５０ｇｆ／平方ｃｍ程度の範囲で異なることが考えられる。
【００６７】
よって、圧力検知部１２によって検知された毛髪１３に印加される圧力に応じて、制御部５がローラ８とローラ８ａとの回転速度差を制御している。
【００６８】
具体的には図４に示すように、圧力検知部１２により、毛髪１３に印加される圧力を、第１の毛髪挟持面３に印加される圧力として検知し、検知された圧力が、所定の範囲内（本実施の形態では２０ｇｆ／平方ｃｍ〜１５０ｇｆ／平方ｃｍ）において大きくなるに従い、ローラ８とローラ８ａとの回転速度差を低下させるように制御している。
【００６９】
上記制御により、毛髪１３の挟持状態に影響されることなく、使用者が所望するカール形状に、容易に毛髪１３をセットすることができる。
【００７０】
なお、速度検知部１１により検知された第１の毛髪挟持面３の移動速度（ヘアアイロン１の移動速度）、および圧力検知部１２によって検知された第１の毛髪挟持面３に印加された圧力（毛髪１３に印加された圧力）に応じて、制御部５が、ローラ８とローラ８ａとの回転速度差、およびヒータ４、４ａの温度を制御するようにしてもよい。
【００７１】
具体的には、制御部５は、表１に示すパターンで制御を実施している。
【００７２】
【表１】
2014117365.tif 000003
【００７３】
表１に示すように、第１の毛髪挟持面３の移動速度が遅く、かつ第１の毛髪挟持面３に印加される圧力が高い場合においては、毛髪１３に十分な熱と張力差を付与することができる。
【００７４】
よって、制御部５は、ヒータ４、４ａの温度を低く（例えば１４０〜１６０℃程度）、かつローラ８とローラ８ａとの回転速度差が小さく（例えば５〜８ｒｐｍ程度）なるように制御する。
【００７５】
次に、第１の毛髪挟持面３の移動速度が速く、かつ第１の毛髪挟持面３に印加される圧力が高い場合においては、毛髪１３に十分な熱を付与することが出来るものの、上記移動速度が速いために、十分な張力差を付与することが困難となる。
【００７６】
よって、制御部５は、ヒータ４、４ａの温度を低く（例えば１４０〜１６０℃程度）、かつローラ８とローラ８ａとの回転速度差が大きく（例えば１５〜２５ｒｐｍ程度）なるように制御する。
【００７７】
また、第１の毛髪挟持面３の移動速度が遅く、かつ第１の毛髪挟持面３に印加される圧力が低い場合においては、毛髪１３と第１の毛髪挟持面３および第２の毛髪挟持面３ａとの間に空気層が存在するために、熱伝導度が減少してしまい、毛髪１３に十分な熱を付与することが困難となる。一方、上記圧力が低いものの、上記移動速度が遅いことから、毛髪１３に十分な張力差を付与することは可能となる。
【００７８】
よって、制御部５は、ヒータ４、４ａの温度を高く（例えば１７０〜１９０℃）、かつローラ８とローラ８ａとの回転速度差が小さく（例えば５〜８ｒｐｍ程度）なるように制御する。
【００７９】
さらに、第１の毛髪挟持面３の移動速度が速く、かつ第１の毛髪挟持面３印加される圧力が低い場合においては、毛髪１３に十分な熱と張力差を付与することが困難となる。
【００８０】
よって、制御部５は、ヒータ４、４ａの温度を高く（例えば１７０〜１９０℃）、かつローラ８とローラ８ａとの回転速度差が大きく（例えば１５〜２５ｒｐｍ程度）なるように制御する。
【００８１】
以上のように、本実施の形態においては、制御部５が、ローラ８とローラ８ａとの回転速度差を制御することにより、毛髪１３を使用者が所望するカールの強さにセットすることができる。
【００８２】
また、制御部５が、速度検知部１１によって検知された第１の毛髪挟持面３の移動速度、すなわちヘアアイロン１の移動速度に応じて、ローラ８とローラ８ａとの回転速度差を制御することにより、ヘアアイロン１の移動速度（施術速度）に影響されることなく、使用者が所望するカール形状に、容易に毛髪１３をセットすることができる。
【００８３】
また、制御部５が、圧力検知部１２によって検知された毛髪１３に印加される圧力に応じて、ローラ８とローラ８ａとの回転速度差を制御することにより、毛髪１３の挟持状態に影響されることなく、容易に使用者が所望するカール形状に毛髪１３をセットすることができる。
【００８４】
さらに、制御部５が、速度検知部１１により検知された第１の毛髪挟持面３の移動速度（ヘアアイロン１の移動速度）、および圧力検知部１２によって検知された第１の毛髪挟持面３に印加された圧力（毛髪１３に印加された圧力）に応じて、ローラ８とローラ８ａとの回転速度差、およびヒータ４、４ａの温度を制御するようにしてもよい。
【００８５】
この場合は、ヘアアイロン１の移動速度や毛髪１３の挟持状態に影響されることなく、極めて容易に使用者が所望するカール形状に毛髪１３をセットすることができる。
【００８６】
なお、本実施の形態では、張力発生部としてローラ８、８ａを用いたが、図６に示すように、張力発生部として、超音波振動を発生させるための超音波振動子１４および超音波振動子１４ａと、発生した超音波振動を、毛髪１３に伝達するためのホーン１５およびホーン１５ａとを備えた構成としてもよい。
【００８７】
この場合は、ホーン１５とホーン１５ａとを、それぞれの先端が対向するように設けるともに、ホーン１５およびホーン１５ａを、施術方向側に傾斜して配置している。
【００８８】
上記構成により、超音波振動子１４、１４ａにおいて発生した超音波振動を、ホーン１５、１５ａのそれぞれの先端の間に挟まれた毛髪１３に付与することで、同様に毛髪１３の表面摩擦を低減しつつ、毛髪１３に張力を付与することができる。
【００８９】
さらに、超音波振動子１４、１４ａにおいて発生した超音波振動の強さを互いに異ならせるように制御することにより、ローラ８とローラ８ａとの回転速度差と同様に、使用者が所望するカール形状に、容易に毛髪１３をセットすることができる。
【００９０】
また、本実施の形態では、ヒータ４、４ａを備えた構成としたが、例えばヒータ４のみを備える構成としてもよい。この場合は、ヒータ４によって加熱された第１の毛髪挟持面３の熱が、第２の毛髪挟持面３ａに伝導することで、第２の毛髪挟持面３ａが加熱されることになり、同様に毛髪１３に熱を付与することができる。
【産業上の利用可能性】
【００９１】
以上のように、本発明にかかるヘアアイロンは、簡易に毛髪をセットすることが可能となるので、例えば、羊毛等の獣毛や人工毛髪等の繊維の加工装置等の用途にも適用できる。
【符号の説明】
【００９２】
１  ヘアアイロン
２  ハウジング
２ａ  第１の挟持部
２ｂ  第２の挟持部
３  第１の毛髪挟持面
３ａ  第２の毛髪挟持面
４、４ａ  ヒータ
５  制御部
６  電源コード
８、８ａ  ローラ
９、９ａ  モータ
１０  スイッチ
１１  速度検知部
１２  圧力検知部
１３  毛髪
１４、１４ａ  超音波振動子
１５、１５ａ  ホーン
【図１】
2014117365.tif 000004
【図２】
2014117365.tif 000005
【図３】
2014117365.tif 000006
【図４】
2014117365.tif 000007
【図５】
2014117365.tif 000008
【図６】
2014117365.tif 000009